(57)【要約】【課題】冷蔵庫の扉が９０°を越えて開くことができなくても、棚板の交換を可能としながら、庫内の有効容積をそれほど小さくすることがない冷蔵庫を提供する。【解決手段】外板と、内箱と、前記外箱と内箱との間に配した断熱材と、内部に複数の棚を配置した貯蔵室と、この貯蔵室の側面に埋め込まれると共に、貯蔵室内に突出して前記棚を載置する棚板受軸とを備える。【選択図】　図１
2004116967.tif 000002
【特許請求の範囲】
【請求項１】
外板と、内箱と、前記外箱と内箱との間に配した断熱材と、内部に複数の棚を配置した貯蔵室と、この貯蔵室の側面に埋め込まれると共に、貯蔵室内に突出して前記棚を載置する棚板受軸とを備えた冷蔵庫。
【請求項２】
請求項１において、棚板受軸が、複数のツメを有し、貯蔵室の側壁が、この側壁に埋め込まれると共に、前記ツメに係合する係合部を備えた棚板受軸収納部を有した冷蔵庫。
【請求項３】
請求項２において、棚板受軸収納部が、この棚板受軸収納部を固定する補強金具と、この補強金具の凹部又は凸部に挿入される凸部又は凹部とを備えた冷蔵庫。
【請求項４】
請求項１乃至３のいずれかにおいて、棚板受軸の貯蔵室内へ突出する端部が、終端へ向かい徐々に棚板受軸の径が大きくなる傾斜を備えた冷蔵庫。
【請求項５】
請求項１乃至４のいずれかにおいて、棚が、平板状の載置部と、この載置部周囲のフランジ部とを有し、このフランジ部が、棚板受軸の最大径よりも小さい径の切欠を備えた冷蔵庫。
【発明の詳細な説明】
【０００１】
【発明の属する技術分野】
本発明は、冷蔵庫に関するものである。
【０００２】
【従来の技術】
従来の冷蔵庫は、図８に示すように、棚板１０１を用いて冷蔵庫内部に棚を形成し、この棚板１０１の上に貯蔵物を載置するようにしていた。棚板１０１は、内箱の両側面に形成された棚板を載置する溝１０２に挿入することで、位置決めされ、設置高さを変更する際には、棚板１０１を手前に水平に引出し、所望する高さの棚板を載置する溝１０２へと挿入する（例えば、特許文献１参照）。
【０００３】
図９及び図１０は、冷蔵庫を設置した際に扉を９０°までしか開けない場合の棚板高さ変更を示している。扉は、その庫内面に土手１０３を備えていることが多く、この土手１０３が、図１０に示すように、棚板１０１の水平引出を妨げる。
【０００４】
このような場合は、図９に示すように、棚板を載置する溝１０２の手前側上面を切欠くことにより、棚板１０１を一旦手前に引出し、その後棚板１０１の手前側を上方に持ち上げることで土手１０３を避け、棚板１０１を取外すことができる。
【０００５】
【特許文献１】
特開平８−２３３４５３号公報（第１１図参照）
【０００６】
【発明が解決しようとする課題】
しかしながら、従来の冷蔵庫は、棚板を載置する部分が、庫内に向かい突出していることから、庫内の有効容積を小さくするという問題があった。そこで、有効容積をできるだけ小さくしないように、溝の深さを浅くすると、棚板の幅寸法と冷蔵庫の内巾とのバラツキにより、棚板を溝に挿入できないこと、挿入できても棚板に重量物を載せると棚板が落下すること等の問題が生じる。また、棚を挿入する溝を設けた冷蔵庫は、溝内の清掃が困難であるとの問題を有している。
【０００７】
本発明の目的は、冷蔵庫の扉が９０°を越えて開くことができなくても、棚板の交換を可能としながら、庫内の有効容積をそれほど小さくすることがない冷蔵庫を提供することにある。
【０００８】
【課題を解決するための手段】
上記目的は、外板と、内箱と、前記外箱と内箱との間に配した断熱材と、内部に複数の棚を配置した貯蔵室と、この貯蔵室の側面に埋め込まれると共に、貯蔵室内に突出して前記棚を載置する棚板受軸とを備えることにより達成される。このように、貯蔵室に突出する棚板受軸を用いた場合は、棚を用いない際に棚板受軸を側壁に収めて庫内を広く使用することができ、棚を用いる際に棚板受軸を突出させて棚の大きさに多少の誤差があっても強固に支えることができる。また、棚は、例え冷蔵庫の扉が９０°よりも広く開かなくとも、棚板受軸を側壁に収めることで、高さ変更を行うことができる。
【０００９】
また、棚板受軸は、複数のツメを有し、貯蔵室の側壁が、この側壁に埋め込まれると共に、前記ツメに係合する係合部を備えた棚板受軸収納部を有することが好ましい。棚板受軸収納部は、この棚板受軸収納部を固定する補強金具と、この補強金具の凹部又は凸部に挿入される凸部又は凹部とを備えることが好ましい。
【００１０】
棚板受軸の貯蔵室内へ突出する端部は、終端へ向かい徐々に棚板受軸の径が大きくなる傾斜を備えることが好ましく、このような傾斜を有すると、冷蔵庫の使用者が、傾斜部分を指でつまみやすく、棚板受軸を突出させやすい。棚は、平板状の載置部と、この載置部周囲のフランジ部とを有し、このフランジ部が、棚板受軸の最大径よりも小さい径の切欠を備えることが好ましく、このような切欠を設けると、切欠部分を棚板受軸に載置して使用している最中に、棚が滑って移動しようとしても棚板受軸の最大径部分に引っかかり、脱落することがない。
【００１１】
【発明の実施の形態】
以下、本発明の実施例を図面により説明する。図１は本発明の１実施例を示す冷蔵庫の棚板受部の要部縦断面であり、棚板受軸を収納した状態を示す。図２は図１に示す棚板受軸部分の更に詳細な断面図であり、棚板受軸を引出した状態を示す。図３は図１に示す棚板受軸の斜視図、図４は図１に示す棚板受軸収納部の斜視図である。図５は本発明の１実施例を示す冷蔵庫の棚板の位置を変更する時に棚板受軸を収納状態にすることで、棚板の先端が扉の土手に当らずに上方へ傾斜させて引き出せる状態を、また、逆に、棚板をセットする時は棚板の後方を先にして上方から入れる時に順次傾斜から水平にすることにより正しくセット出来る状態を示す冷蔵庫の要部縦断面図。図６は本発明の１実施例を示す冷蔵庫の棚板と棚板受部と扉の土手の関係を示す冷蔵庫の横断面図である。図７は本発明の１実施例を示す冷蔵庫の棚板のフランジ形状と棚板受軸の関係を示す図である。
【００１２】
図５及び図６において、冷蔵庫本体１は、外板４と内箱３との間に断熱材として用いるウレタンフォーム９を配置した断熱箱体を備え、上から冷凍室、冷蔵室２の順に貯蔵室を設けている。内箱３は、合成樹脂材を真空成形加工した箱体であり、室内となる奥表面に、棚板５の奥隅を支える複数個のリブ６が、成形してある。
【００１３】
棚板５は、合成樹脂製の板体であり、耐荷重を増しながらも厚みを薄くするために、四周にフランジ５ａを設けている。また、フランジ５ａには、対向する一対の辺に、後述する棚板受軸７に係止させる切欠部５ｂを各々設けてある。
【００１４】
棚板受軸７は、棚板５のフランジ５ａに設けた切欠部５ｂと係止し、リブ６と共に棚板５を支えている。棚板受軸７は、図３に示すように、一端に指にてつまむツマミ７ｂを備え、他端に棚板受軸７の脱落を防止するツメ７ａを備えている。ツマミ７ｂは、棚板受軸７の終端に近づくにつれて半径が大きくなる傾斜を備えており、この傾斜によって、指で摘み易く、出し入れを行いやすくする。
【００１５】
本実施例では、ツメ７ａを２箇所設けてあるが、ツメ７ａの個数は限定されるものではなく、複数であれば良い。また、ツメ７ａは、設ける個数によらず、ツメ間隔を均等にすることで安定して棚板受軸７を設置することができる。
【００１６】
棚板受軸７は、図１に示すように、内箱３に設けられた棚板受軸収納部１０に挿入して設置する。挿入する際には、ツメ７ａが一端内側に押し込まれるが、ツメ７ａが後述するツメガイド１０ｄに達すると弾性力によって元に戻り、ツメガイド１０ｄの長さの範囲で、棚板受軸７を挿入、突出させることができる。
【００１７】
棚板受軸収納部１０は、図４に示すように、円筒部１０ｂの開放された一端にフランジ部１０ａを設けてあり、他端にツメガイド１０ｄを設けている。フランジ部１０ａは、内箱裏面への接触面積を広げ、耐荷重を増やすことから、広くとることが好ましい。ツメガイド１０ｄは、円筒部１０ｂの内壁１０ｃの一部を切欠いたものであり、前述した棚板受軸７のツメ７ａに合わせて２箇所に設けている。そして、ツメ７ａが、ツメガイド１０ｄに沿って移動することで、棚板受軸も移動する。ツメガイド１０ｄは、ツメ７ａがどのような向きで挿入されてもひっかかるように、内壁１０ｃの全周に設けても良いが、このようにすると内壁１０ｃの肉厚が薄くなり、ウレタンフォームの発泡圧力により棚板受軸収納部１０が変形するおそれがあるので、好ましくは、ツメ７ａの巾に合わせて最小限度に設けるようにする。
【００１８】
ストッパー１０ｅは、棚板受軸７（図１参照）の引出距離を決定するもので、ストッパー１０ｅの位置がフランジ部１０ａに近づく程、棚板受軸７の引出距離が長くなる。また、ツメ７ａは、ストッパー１０ｅに引っかかり、棚板受軸７が棚板受軸収納部１０から脱落するのを防止する。
【００１９】
図１及び図２により、棚板受軸収納部１０の設置について説明すると、棚板受軸収納部１０は、内箱３に設けた孔に合わせて、内箱３と外箱４との間に設置するが、棚への載置物が重量物であっても十分に支えられるように、フランジ部１０ａを内箱３の裏面に密着させ、更に、補強金具８を用いてより強固に固定している。棚板受軸収納部１０及び補強金具８は、接着剤等により張付けても良いが、テープ等により借り止めしておき、ウレタンフォーム９を発泡させることで内板３に固定しても良い。
【００２０】
棚板受軸収納部１０は、その両端を開放されており、このまま使用してウレタン発泡させると、内箱３と外箱４との間に充填されるべきウレタンフォームが、棚板受軸収納部１０を介して内箱３内に吐出してしまう。そこで、棚板受軸収納部１０の外箱４に近い方の端部には、ミラーマット１１を張付け、ウレタンフォームの吐出を阻止する。
【００２１】
棚板受軸収納部１０は、ツメ７ａがどのような向きで挿入されてもひっかかるように、内壁１０ｃの全周にツメガイド１０ｃを設けていれば設置状態を問題にすることはないが、このようにすると前述したように内壁１０ｃの肉厚が薄くなるため、最小限度のツメガイド１０ｄを設けている。そのため、ツメガイド１０ｄの位置は、棚板受軸収納部１０の設置状態により、どの角度に設けられるか決定されない。
【００２２】
従って、棚板受軸７を棚板受軸１０に挿入する際に、ツメ７ａとツメガイド１０ｄとの位置を一致させることが難しく、万一にもツメ７ａとツメガイド１０ｄとが係合しないでいると、棚板受軸７外れ落ち棚が脱落する恐れがある。また、ツメ７ａは、長時間にわたりツメガイド１０ａ以外の部分に押し込まれたままであると、ツメ７ａの付け根に応力が掛かり続け、劣化速度が速まる。
【００２３】
そこで、本実施例では、棚板受軸７を押し込む人が、ツメ７ａをどの方向に向けて押込めば良いか分りやすくするため、棚板受軸収納部１０のフランジ部１０ａに、突起１０ｆを２箇所設け、この突起１０ｆの位置とツメガイド１０ｄの位置を同一とすることにより、棚板受軸収納部１０を補強金具８に組付ける時に、突起１０ｆが上向きの位置となるところに突起１０ｆが嵌る位置決め孔８ａを設けておくことにした。このようにすることで、棚板受軸収納部１０の設置状態は、常に一定の方向に定まり、ツメ７ａとツメガイド１０ｄとが確実に係合するようになる。
【００２４】
なお、棚板受軸収納部１０を所定の位置に固定する場合は図１、図２に示す如く該補強金具８の位置決め孔８ａに棚板受軸収納部１０の突起１０ｆを嵌めた後、内箱の外面に補強金具８ごと粘着テープなどで貼り付け、ウレタンフォームを発泡して固定する。
【００２５】
更に、棚板受軸収納部１０を補強金具８に組付ける孔８ｂは、棚の重量がかかるので、バーリング加工しておくことにより、重量がかかった時でも補強金具８が変形することがなく、補強金具８の孔の端面が棚板受軸収納部１０の外周に喰い込むことを防止できる。
【００２６】
なお、本実施例によれば、従来の棚板を受けていた溝が奥部だけとなり、内箱側面の前方部は平坦になり、ウレタンフォームの発泡をする際に用いる発泡金型（図示せず）の機械加工が容易になり、安価な金型を用いることができる。
【００２７】
次に、棚板を別の段に移す時の手段を説明すると、先ず図５の冷蔵庫の縦断面図、および図６の横断面図で示すように、棚板５の上の貯蔵食品を取り除いた後、現行の棚板受軸７より一段上にある。即ち、内箱に付いている両サイドの棚板受軸７を棚板受軸収納部１０に押込み、次に棚板５のフランジ前方の切欠５ｂを、棚板５を上へ持ち上げてはずし、そのまま上へ傾斜させて持ち上げると、上の棚板受軸７が押込まれており出張っていないので邪魔にならず、そのまま持ち上げられるので扉の土手１０３に棚板５の先端が当ることなく上方へ持ち上げることができる。この際、棚板５の後方部もリブ６からはなれる。
【００２８】
更に、新たに変えたい位置で後方のリブ６に棚板５の後方部を挿入後、内箱の両側に各々押込まれている棚板受軸７のツマミ７ｂを指でつまんで引出し、棚板５のフランジ５ａの切欠部５ｂを、棚板受軸７に引っかけることで棚の高さ変更が終了する。
【００２９】
棚の高さ変更の際に、手の甲又は貯蔵食品等が棚板５の下に当たり棚板５を押し上げたとしても、棚板５のフランジ部フランジ５ａに、図７に示す下段の棚板５のように、フランジ５ａの切欠を棚板受軸７の半径より大きく作り、ストッパー部５ｃを設けたので、簡単に棚板５の切欠きが棚板受軸７よりはずれて、棚板５が手前に出てくるようなことがない。なお、変更がすんだら、現行の両側の棚板受軸７を押込めると庫内に出張りがなく見栄えが良くなる。
【００３０】
以上詳細に説明したように、本実施例によれば、据付場所によって扉の開きが９０°を超えた場合でも、棚板の位置を変更する時に、冷蔵庫の棚板を載置する棚板受軸を内箱と外箱との間にある棚板受軸収納部に押込めるようにしたので、庫内側に出張りが少なくなり、邪魔になるものがなく、棚板を庫内だけで上方に傾斜させて引きだしたり、挿入したりすることが出来るようになった。
【００３１】
また、冷蔵庫の棚板を載置するリブは、庫内側に出張るが、本実施例では、リブは内箱の後方だけにしたので、前方はその分広く使用することができ、有効内容積を増やすことができた。更に、リブが減ったことから、リブの加工作業が少なくなり、真空成形加工用の金型や、発泡成形金型が安価となり、かつ、溝部を形成するリブ部に入るウレタンフォームの発泡量も少なくてすむので、冷蔵庫を安価に提供できるようになる。庫内の両側壁にリブの凹凸がないため、見た目にスッキリした見栄えの良い冷蔵庫を提供することができる。
【００３２】
また、棚板受軸収納部の円筒部の内面にツメガイドを設けたことにより、ツメガイド以外の棚板受軸収納部の内壁は、肉厚が厚くなり、ウレタンフォームの発泡圧による変形を防止することができる。
【００３３】
また、ウレタンフォームの発泡前の組立時に、棚板受軸収納部のツメガイドの位置が上下方向となるように、位置決めの付いた補強金具を用いたので、組立時には、棚板受軸を押込む時、先端のツメの位置を上下にして押込むだけで、必ずツメが軸受収納部のツメガイドに入り、ツメがツメガイドに入らないで異常な応力を受けることがなく、棚板受軸が簡単に抜けることもない。
【００３４】
また、手の甲とか貯蔵食品等が棚板の下に当って棚板を押し上げたとしても、棚板のフランジの切欠を棚板受軸の半径より大きく作り、ストッパー部を設けたのでかかり代ができ、簡単に棚板の切欠きが棚板受軸からはずれて、棚板が手前に出てくるようなことがない。
【００３５】
更に、棚板の変更に扉を９０°以上開く必要がないので、狭い場所でも冷蔵庫を設置して使うことができる。
【００３６】
【発明の効果】
本発明においては、冷蔵庫の扉が９０°を越えて開くことができなくても、棚板の交換を可能としながら、庫内の有効容積を小さくすることがない冷蔵庫を提供することができる。
【図面の簡単な説明】
【図１】本発明の実施例である冷蔵庫の部分断面拡大図。
【図２】図１に示す実施例の更に詳細な部分拡大断面図。
【図３】図１に示す棚板受軸の斜視図。
【図４】図１に示す棚板受軸収納部の斜視図。
【図５】図１に示す部分を有した冷蔵庫の全体縦断面図。
【図６】図５に示す冷蔵庫の水平断面図。
【図７】本発明の他の実施例を示す、棚板部分の断面図。
【図８】従来例を示す、冷蔵庫の縦断面図及びこの冷蔵庫のＡ−Ａ断面図。
【図９】別の従来例を示す、冷蔵庫の縦断面図。
【図１０】図９に示す冷蔵庫の水平断面図。
【符号の説明】
１…冷蔵庫本体、２…冷蔵室、３…内箱、４…外板、５…棚板、５ａ…フランジ、５ｂ…切欠部、５ｃ…ストッパー部、６…リブ、７…棚板受軸、７ａ…ツメ、７ｂ…ツマミ、８…補強金具、８ａ…位置決め孔、８ｂ…組付る孔、９…ウレタンフォーム、１０…棚板受軸収納部、１０ａ…フランジ部、１０ｂ…円筒部、１０ｃ…内壁、１０ｄ…ツメガイド、１０ｅ…ストッパー、１０ｆ…突起、１１…ミラーマット、１０１…棚板、１０２…棚板を載置する溝、１０３…土手
【図１】
2004116967.tif 000003
【図２】
2004116967.tif 000004
【図３】
2004116967.tif 000005
【図４】
2004116967.tif 000006
【図５】
2004116967.tif 000007
【図６】
2004116967.tif 000008
【図７】
2004116967.tif 000009
【図８】
2004116967.tif 000010
【図９】
2004116967.tif 000011
【図１０】
2004116967.tif 000012